(57)【特許請求の範囲】
【請求項１】
ブーツ（１０）であって、
ユーザーの足、及びユーザーの下腿の少なくとも一部を包み込むシェル（２０）と、
前記シェル（２０）に取り付けられたシェルタング（２）と、
タング（３０）を有する靴下状ライナー（１）と
を備え、
前記靴下状ライナー（１）は、前記シェル（２０）内に配置され、前記シェル（２０）の高さの２０％から半分までの部分に渡って延在する一方、前記タング（３０）は、前記シェル（２０）の全高の８０％から１１０％までの部分に渡って延在し、
前記タング（３０）は、前記シェルタング（２）よりも大きな高さ寸法及び幅寸法を有する
ことを特徴とするブーツ。
【請求項２】
請求項１に記載のブーツであって、
前記靴下状ライナー（１）は、前記シェル（２０）に、固定的に連結される
ことを特徴とするブーツ。
【請求項３】
請求項２に記載のブーツであって、
前記靴下状ライナー（１）は、前記シェル（２０）に、接着接合される
ことを特徴とするブーツ。
【請求項４】
請求項１〜３のいずれか１項に記載のブーツであって、
前記靴下状ライナー（１）の高さを超える高さを有する、前記タング（３０）の少なくとも一部は、前記シェルタング（２）から独立して動かせる
ことを特徴とするブーツ。
【請求項５】
請求項１〜４のいずれか１項に記載のブーツであって、
前記靴下状ライナー（１）は、縫い目の無い形態である
ことを特徴とするブーツ。
【請求項６】
請求項１〜５のいずれか１項に記載のブーツであって、
前記靴下状ライナー（１）は、防水膜を有する
ことを特徴とするブーツ。
【請求項７】
請求項６に記載のブーツであって、
前記防水膜は、水に対して不浸透性ではあるが蒸気拡散には浸透性であるポリテトラフルオロエチレン（ＰＴＦＥ）の膜である
ことを特徴とするブーツ。
【請求項８】
請求項１〜７のいずれか１項に記載のブーツであって、
前記ブーツ（１０）の剛性は、前記シェルタング（２）によって調節可能である
ことを特徴とするブーツ。
【請求項９】
請求項８に記載のブーツであって、
前記シェルタング（２）は、補強部材を有する
ことを特徴とするブーツ。
【請求項１０】
請求項１〜９のいずれか１項に記載のブーツであって、
前記シェルタング（２）は、取り外し可能及び交換可能に、前記シェル（２０）に取り付けられる
ことを特徴とするブーツ。
【請求項１１】
請求項１〜１０のいずれか１項に記載のブーツであって、
スキーブーツ又はスノーボードブーツである
ことを特徴とするブーツ。
【発明の詳細な説明】
【発明の詳細な説明】
【０００１】
本発明は、特許請求項１の前文に記載のブーツ、特にスキーブーツ又はスノーボードブーツに関する。
ブーツ、特にスキーブーツ及びスノーボードブーツは、長い間周知であり、従来では、アウターシュー及びインナーシューから構成される。ユーザーの足は、インナーシュー内に配置され、インナーシューにより包まれる一方で、そして、インナーシューは、インナーシュー用の安定化ケーシングを全体的に構成するアウターシューの内部に配置され、大抵の場合、アウターシューにより完全に囲繞される。
【０００２】
これらブーツは多くのデメリットを有しており、第１に、インナー／アウターシューの構造の著しい重量がある。その上、インナーシューとアウターシューとの双方を互いに個別に紐で縛り、靴を脱ぐには、インナーシューとアウターシューとを再度解くことが必要になることが多い。更には、上記構造のブーツでは、インナーシューとアウターシューとの間に水分が集まることになるというリスクが常にあり、乾燥させるためには、インナーシューをアウターシューから取り外さなければならず、そして、アウターシューとともにインナーシューを立てておく場所が当然ながら必要にもなるため、かなりの空間を要する。
【０００３】
よって、上記のデメリットを解消するために、１つのシューだけが備え付けられ、そのシューがユーザーの足を直接包み込む、ワンピースブーツ構造が過去に使用されていた。このワンピースブーツ構造は、多くのメリットを有し、例えば、長さが短くなったソール、ブーツの取り扱いの簡素化、及び、スキーブーツ又はスノーボードブーツの場合、ボードの感覚をより直接的に感じることが可能な点に関して言われている。しかしながら、上記のインナーシュー／アウターシュー構造を「通常の」ブーツと比較すると、ブーツは、特に「屈曲部」あたり、つまり、特に、かかと／くるぶし／すねの部分がとても柔らかく、その結果、靴の可動性が高いという、ワンピースブーツの重大なデメリットがある。これは、スキー又はスノーボードのコントロール性が不十分であることと関連する。
【０００４】
本発明の目的は、ワンピースブーツ構造を維持しながら、上記問題を解決することと、特にスキー又はスノーボードに関して、取り扱いが簡単であり、ユーザーの足及びすね／ふくらはぎ上に快適に乗るブーツを提供し、かつ、確実な保持力及び調整可能な剛性をユーザーへ提供することで、最適なコントロール性を提供することとにある。
【０００５】
本目的は、特許請求項１に記載のブーツ、特に、スキーブーツ又はスノーボードブーツによって達成される。
特に、本目的は、ブーツ、特に、スキーブーツ又はスノーボードブーツであって、ユーザーの足及びユーザーの下腿の少なくとも一部を包み込むシェルと、シェルに取り付けられたシェルタングと、タングを有する靴下状ライナーと、を備え、靴下状ライナーは、シェル内に配置され、シェルの高さの２０％から８０％の部分に渡って、好ましくはシェルの高さの略半分まで、延在する一方、タングは、シェルの高さの８０％から１３０％の部分に渡って、好ましくはシェルの全高の略１１０％まで、延在する、ブーツ、特に、スキーブーツ又はスノーボードブーツによって達成される。
【０００６】
本発明の重要な局面は、ブーツが、ブーツ又はシェルの全高に及ばないが、２０％から８０％の部分にだけ渡って延在する靴下状ライナーが設けられたシェルを備えることで、ユーザーの足が実質的に完全に包み込まれ、換言すれば、少なくともくるぶし辺りは靴下状ライナーによって包み込まれて、ブーツ内での最適なサポート感が感じられる一方、靴下状ライナーに取り付けられたタングが、ブーツ又はシェルの実質的な全高に渡って延在することで、シェルタングの下部分によりユーザーの前肢を、シェルタングの中間部分により足の甲を、かつ、シェルタングの上部分によりユーザーのすねを、最適にサポートし、ひいては、本発明に係るブーツ内にてそれらを保持することである。そのように、ユーザーの足は、特に、ユーザーの足をブーツ内で安定して固定するために特に重要なかかと辺りにて、最適なサポート感を得る一方、靴下状ライナーの高さに応じて、ユーザーのくるぶしと下腿あたりは、高い可動性を有し、同時に、最適な快適さとフィット感を得る。ブーツ軸に向かって靴下状ライナーを超えて延在するタングを用いることで、本発明に係る有利な方法によって、靴の「屈曲部」が、希望する用途に応じて、比較的堅いにも関わらず快適となり得ることが同時に確実となる。その結果、スキー又はスノーボードの最適なコントロール性が確保される。本発明の特に好ましい実施形態によれば、ブーツ又はその「屈曲部」の剛性は、任意で補強部材を有し、かつ追加できる、シェルタングによって調節可能であり、そのシェルタングは、取り外し可能及び交換可能にシェルに取り付けられることをここに述べるべきである。
【０００７】
そのように、シェルタングを交換することで、ブーツの剛性又は「屈曲性」だけでなく、ブーツの使用分野も変えることが可能である。その理由は、ブーツは、例えばより堅いタングを用いることで、通常のスキー又はスノーボード用に最適になり得るからである一方、更に堅いタングは、例えばトリックスキーのようなより高い精度のコントロールを必要とする用途の分野に本発明に係るブーツを適応させるために適しており、堅いタングを柔らかい又は非常に柔らかいタングと交換することで、例えばウォーキング用の履き心地の良いブーツとしても、本ブーツは適しているからである。
【０００８】
本発明の更に特に好ましい実施形態によれば、靴下状ライナーがシェルに固定的に連結され、特に接着接合されることで、シェルとライナーとの間にて水分が浸透する可能性が無い。更に、靴下状ライナーとシェルの本発明に係る固定連結により、本発明に係るブーツを着脱するときに、確実に、靴下状ライナーが常に正しくかつ正確なフィット感にてブーツ内に配置されるので、靴の取り扱いも容易になる。
【０００９】
本発明の更なる重要な局面は、更に、タングの少なくとも一部、つまり、靴下状ライナーの高さを超える高さを有する部分が、シェルタングから独立して可動する、つまり、シェルタングに連結も接着接合もされていないことである。そのように、上記本実施形態によれば、一方において、シェルタングは容易に交換され得ることが確実である。更に、本発明によれば、タングとシェルタングとの独立した可動性により、ブーツの着脱がより簡単となる。その理由は、より堅いシェルタングが、いずれの場合においてもかなり前方に屈曲可能であるからである一方、例えば、縫い合わせ又は一体形成により靴下状ライナーに取り付けられた、柔らかくかつ屈曲可能なタングが、個別に、足又はすねに対して移動かつ適応可能であるからである。
【００１０】
本発明の更なる実施形態によれば、タングが、シェルタングよりも大きな高さ寸法及び幅寸法を有することで、ユーザーの脚から見ると、タングが、アウターシェルタングを完全に覆い、快適な履き心地を確保することが更に指摘されるべきである。
【００１１】
更に、靴下状ライナーは、縫い目が無いことで、本発明に係るブーツの履き心地をまた更に改善する。
好ましくは、靴下状ライナーは、実質的には防水膜、例えば、水に対して不浸透性であるが蒸気拡散には浸透性のあるポリテトラフルオロエチレン（ＰＴＦＥ又はテフロン）の被膜を更に有する。本発明によれば、使用され得る被膜の結果、本発明に係るブーツは防水となるように構成され得る。
【００１２】
本発明の更なる実施形態は、従属請求項から明白となるであろう。
以下に、図面に基づき詳細に説明される例示的な実施形態に基づいて、本発明を記載する。
【図面の簡単な説明】
【００１３】
【図１】本発明に係るブーツの図表示を示す。
【図２】本発明に係るブーツの構成要素の個別の図を示す。
【発明を実施するための形態】
【００１４】
以下の説明において、同一の参照符号が、同一の部材及び同一の機能を有する部材に用いられる。
図１は、靴下状ライナー１が挿入されるシェル２０を有する、本発明に係るブーツ１０を示す。靴下状ライナーは、ブーツ１０又はシェル２０の高さの実質的に半分に渡って延在する。更に、靴下状ライナー１は、靴下状ライナーの高さを超えて、ブーツの高さの略１１０％まで延在するタング３０を有する。図１のブーツ１０は閉口状態であり、シェルタング２がタング３０上に在り、タング３０の高さ寸法及び幅寸法がシェルタング２の高さ寸法及び幅寸法よりも大きいことが明らかである。よって、ブーツが閉口状態のときに、ユーザーの足は、タング３０とのみ接触し、シェルタング２とは接触しないので、シェルタングが堅い場合でも、良好な履き心地が確保される。
【００１５】
図２は、本発明に係るブーツの基本要素を個別の図に示し、靴下状ライナー１はタング３０を有する。ブーツが完成した状態で、靴下状ライナー１は、シェル２０に固定するように接着接合される。図２は、更に、要望に応じて、シェルから取り外し可能及び交換可能な、本発明に係るシェルタングを示す。
【００１６】
したがって、本発明の核心は、以下の通り要約され得る。二重タング構造を有する本発明に係るブーツでは、一体的タングを有する靴下状ライナーがシェルに接着接合される。このため、アクセス開口部が靴下状ライナー構造により閉口され、本発明に係るブーツの軸の一端の所まで実質的に到達するインナータングが形成される。このタングは、シェルに固定されるアウタータング、つまり上述のシェルタングにより実質的に完全に覆われる。
【００１７】
これにより、本発明に係るブーツ構造に関して、とりわけ以下の３つの重要な利点が挙げられる。
１．より高い剛性と様々に調節可能なシェルタングによる性能向上、
２．インナータング／靴下構造により、より優れた快適性と最適なフィット感、そして      、
３．防水ブーツ構造、防水形態の、靴下状ライナー、つまり、靴下状インサートの実現      性。
【００１８】
通常のワンピースブーツ構造と比較すると、足を包み込み、縫い目の無い靴下構造により、快適性とフィット感が著しく向上する。更に、インナータング／靴下構造は、アウタータングを完全に覆う。快適性が著しく向上した結果、ブーツの剛性がアウタータングにより増加し得る。その結果、非常に柔らかいと分類されるワンピースブーツ構造の性能が著しく向上し得る。つまり、この構造によれば、通常のブーツ構造、つまりアウターシェル／インナーシェルブーツ構造と同じ性能がワンピースブーツ構造で達成可能である。更に、被膜を使用する靴下構造によって、ブーツは防水となり得る。
【００１９】
上述の全ての要素は、それ自体で、かつ、あらゆる組み合わせで、特に図面に詳細に示されるように、本発明に必須として請求項に記載されると指摘されるべきである。本発明の変更は、当業者によく知られている。
[参照符号一覧]
１  靴下状ライナー
２  シェルタング
１０  ブーツ
２０  シェル
３０  タング
【図１】
0006019018.tif 000002
【図２】
0006019018.tif 000003